【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
被写体を撮影して撮影画像データを取得する撮像手段と、
前記撮像手段により取得された撮影画像データに対し、複数の異なる画像処理を順次施す画像処理手段と、
所定の音楽データを、複数の異なる再生形態で順次再生する音楽再生手段と、
撮影時において、前記画像処理手段により画像処理が施された撮影画像データと、前記音楽再生手段により再生された所定の音楽データとを合成して記憶手段に記憶させる第１の記憶制御手段と、
を備えることを特徴とする撮影装置。
【請求項２】
撮影開始指示を検出する第１の検出手段と、
撮影終了指示を検出する第２の検出手段と、を備え
前記画像処理手段は、
前記第１の検出手段により撮影開始指示が検出された後において、前記撮像手段により取得された撮影画像データに対し、第１の画像処理を施し、
前記第２の検出手段により撮影終了指示が検出された後において、前記撮像手段により取得された撮影画像データに対し、前記第１の画像処理とは異なる第２の画像処理を施す
こと、
を特徴とする請求項１記載の撮影装置。
【請求項３】
前記第１の画像処理とは、時間の経過とともに、所定色の画像データから徐々に前記撮
影画像データに切り替える処理であり、
前記第２の画像処理とは、時間の経過とともに、前記撮影画像データから徐々に所定色
の画像データに切り替える処理であること、
を特徴とする請求項２記載の撮影装置。
【請求項４】
前記音楽再生手段は、
前記第１の検出手段により撮影開始指示が検出された後において、前記所定の音楽データを第１の再生形態で再生し、
前記第２の検出手段により撮影終了指示が検出された後において、前記所定の音楽データを前記第１の再生形態とは異なる第２の再生形態で出力すること、
を特徴とする請求項３記載の撮影装置。
【請求項５】
前記第１の再生形態とは、時間の経過とともに、前記所定の音楽データの音量を大きく
していく形態であり、
前記第２の再生形態とは、時間の経過とともに、前記所定の音楽データの音量を小さく
していく形態であること、
を特徴とする請求項４記載の撮影装置。
【請求項６】
前記第２の検出手段により撮影終了指示が検出された場合に、前記音楽データの再生を終了させるよう前記音楽再生手段を制御する音楽再生制御手段と、
前記音楽データにおける再生が終了したデータ位置を示す終了位置データを、前記記憶
手段に記憶させる第２の記憶制御手段と、を備えること、
を特徴とする請求項２から５のいずれか一項に記載の撮影装置。
【請求項７】
前記記憶手段は、複数の撮影場面データと複数の前記所定の音楽データとを対応付けて
記憶し、
前記撮影場面データを選択する選択手段と、
前記音楽再生手段は、前記選択手段によって選択された撮影場面データに対応付けて記
憶されている所定の音楽データを、前記記憶手段から読み出して再生すること、
を特徴とする請求項１から６のいずれか一項に記載の撮影装置。
【請求項８】
前記記憶手段は、前記撮影場面データごとに複数の前記所定の音楽データを対応付けて
記憶し、
前記音楽再生手段は、前記選択手段によって選択された撮影場面データに対応付けて記
憶されている複数の前記所定の音楽データを順次再生すること、
を特徴とする請求項７記載の撮影装置。
【請求項９】
前記記憶手段は、複数の撮影場面データと複数の所定の音楽データと複数の撮影条件と
を互いに対応付けて記憶し、
前記選択手段によって選択された撮影場面データに対応付けて記憶されている撮影条件
を設定する設定手段を備えること、
を特徴とする請求項７又は８記載の撮影装置。
【請求項１０】
前記撮影画像データとは、動画像を表示するための動画データであること、
を特徴とする請求項１から９のいずれか一項に記載の撮影装置。
【請求項１１】
被写体を撮影して撮影画像データを取得する撮像ステップと、
前記撮像ステップにおいて取得された撮影画像データに対し、複数の異なる画像処理を順次施す画像処理ステップと、
所定の音楽データを、複数の異なる再生形態で順次再生する音楽再生ステップと、
撮影時において、前記画像処理ステップにおいて画像処理が施された撮影画像データと、前記音楽再生ステップにおいて再生された所定の音楽データとを合成して記憶手段に記憶させる記憶制御ステップと、
を含むことを特徴とする撮影方法。
【請求項１２】
被写体を撮影して撮影画像データを取得する撮像手段と、所定の音楽データを複数の異なる再生形態で順次再生する音楽再生手段と、を備える撮影装置のコンピュータを、
前記撮像手段により取得された撮影画像データに対し、複数の異なる画像処理を順次施す画像処理手段、
撮影時において、前記画像処理手段により画像処理が施された撮影画像データと、前記音楽再生手段により再生された所定の音楽データとを合成して記憶手段に記憶させる記憶制御手段、
として機能させるためのプログラム。
【手続補正２】
【補正対象書類名】明細書
【補正対象項目名】発明の名称
【補正方法】変更
【補正の内容】
【発明の名称】撮影装置、撮影方法、プログラム
【手続補正３】
【補正対象書類名】明細書
【補正対象項目名】０００１
【補正方法】変更
【補正の内容】
【０００１】
本発明は、撮影画像データと音楽データを合成して記録する撮影装置、撮影方法、プログラムに関する。
【手続補正４】
【補正対象書類名】明細書
【補正対象項目名】０００５
【補正方法】変更
【補正の内容】
【０００５】
請求項１記載の発明は、被写体を撮影して撮影画像データを取得する撮像手段と、前記撮像手段により取得された撮影画像データに対し、複数の異なる画像処理を順次施す画像処理手段と、所定の音楽データを、複数の異なる再生形態で順次再生する音楽再生手段と、撮影時において、前記画像処理手段により画像処理が施された撮影画像データと、前記音楽再生手段により再生された所定の音楽データとを合成して記憶手段に記憶させる第１の記憶制御手段と、を備えることを特徴とする。
【手続補正５】
【補正対象書類名】明細書
【補正対象項目名】０００６
【補正方法】変更
【補正の内容】
【０００６】
請求項１１記載の発明は、被写体を撮影して撮影画像データを取得する撮像ステップと、前記撮像ステップにおいて取得された撮影画像データに対し、複数の異なる画像処理を順次施す画像処理ステップと、所定の音楽データを、複数の異なる再生形態で順次再生する音楽再生ステップと、撮影時において、前記画像処理ステップにおいて画像処理が施された撮影画像データと、前記音楽再生ステップにおいて再生された所定の音楽データとを合成して記憶手段に記憶させる記憶制御ステップと、を含むことを特徴とする。
請求項１２記載の発明は、被写体を撮影して撮影画像データを取得する撮像手段と、所定の音楽データを複数の異なる再生形態で順次再生する音楽再生手段と、を備える撮影装置のコンピュータを、前記撮像手段により取得された撮影画像データに対し、複数の異なる画像処理を順次施す画像処理手段、撮影時において、前記画像処理手段により画像処理が施された撮影画像データと、前記音楽再生手段により再生された所定の音楽データとを合成して記憶手段に記憶させる記憶制御手段、として機能させることを特徴とする。
【手続補正６】
【補正対象書類名】明細書
【補正対象項目名】０００７
【補正方法】変更
【補正の内容】
【０００７】
本発明によれば、ユーザは撮影をするだけで完成度の高い映像を作成することが可能となる。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】